(57)【要約】【課題】サッシ窓用補助錠のサッシ窓に対する保持力を高めることができるようにしたサッシ窓用補助錠を提供すること。【解決手段】可動側アタッチメント２を固定側アタッチメント１１に対して接離方向に移動可能とし、固定側アタッチメント１１を引き戸Ｄの端縁に、可動側アタッチメント２を窓枠Ｆに当接させることにより、引き戸Ｄを固定するようにしたサッシ窓用補助錠において、引き戸Ｄの端縁に当接する固定側アタッチメント１１に、引き戸Ｄの端縁が入り込む溝１１ａを形成する。【選択図】図１
2012087540.tif 000002
【特許請求の範囲】
【請求項１】
可動側アタッチメントを固定側アタッチメントに対して接離方向に移動可能とし、固定側アタッチメント及び可動側アタッチメントのいずれか一方を引き戸の端縁に、他方を窓枠に当接させることにより、引き戸を固定するようにしたサッシ窓用補助錠において、前記引き戸の端縁に当接する固定側アタッチメント又は可動側アタッチメントに、引き戸の端縁が入り込む溝を形成してなることを特徴とするサッシ窓用補助錠。
【請求項２】
引き戸の端縁が入り込む溝が、断面Ｖ字状をしてなることを特徴とする請求項１記載のサッシ窓用補助錠。
【発明の詳細な説明】
【技術分野】
【０００１】
本発明は、サッシ窓用補助錠に関し、不正に引き戸を開くことができないようにするためのサッシ窓用補助錠に関するものである。
【背景技術】
【０００２】
従来、サッシ窓の引き戸を施錠するために、クレセント錠が付設され、引き戸が完全に閉じた位置で施錠を行うようにしている。このため、窓枠にウインドファン、暖房機の排気管、空調機の配管ダクトなどを挿通するように取り付けた場合、施錠を行うことができず、このような場合、あるいはより確実に施錠を行うために、クレセント錠以外に、サッシ窓用補助錠が用いられている（例えば、特許文献１〜２参照）。
【先行技術文献】
【特許文献】
【０００３】
【特許文献１】特開２０００−２６５７３４号公報
【特許文献２】特開２００３−１２９７２９号公報
【発明の概要】
【発明が解決しようとする課題】
【０００４】
このサッシ窓用補助錠は、例えば、図１１に示すように、つまみ５の操作にて可動側アタッチメント２を固定側アタッチメント１１に対して接離方向に移動可能とし、固定側アタッチメント１１を引き戸Ｄの端縁に、可動側アタッチメント２を窓枠Ｆに当接させることにより、引き戸Ｄを固定するようにしていた。
【０００５】
ところで、従来のサッシ窓用補助錠は、不正に引き戸Ｄを開くことができないようにするための十分な機能を備えているが、固定側アタッチメント１１及び可動側アタッチメント２の引き戸Ｄの端縁及び窓枠Ｆへの当接状態が、いずれも面接触であるため、風圧や人為的な操作によって引き戸Ｄに振動が繰り返して加えられると、この振動により固定側アタッチメント１１及び可動側アタッチメント２の引き戸Ｄの端縁及び窓枠Ｆへの当接位置がずれたり、当接状態が解除されることがあった。
【０００６】
本発明は、上記従来のサッシ窓用補助錠の有する問題点に鑑み、サッシ窓用補助錠のサッシ窓に対する保持力を高めることができるようにしたサッシ窓用補助錠を提供することを目的とする。
【課題を解決するための手段】
【０００７】
上記目的を達成するため、本発明のサッシ窓用補助錠は、可動側アタッチメントを固定側アタッチメントに対して接離方向に移動可能とし、固定側アタッチメント及び可動側アタッチメントのいずれか一方を引き戸の端縁に、他方を窓枠に当接させることにより、引き戸を固定するようにしたサッシ窓用補助錠において、前記引き戸の端縁に当接する固定側アタッチメント又は可動側アタッチメントに、引き戸の端縁が入り込む溝を形成してなることを特徴とする。
【０００８】
この場合において、引き戸の端縁が入り込む溝を、断面Ｖ字状に形成することができる。
【発明の効果】
【０００９】
本発明のサッシ窓用補助錠によれば、引き戸の端縁に当接する固定側アタッチメント又は可動側アタッチメントに、引き戸の端縁が入り込む溝を形成することにより、サッシ窓用補助錠のサッシ窓に対する保持力を高めることができ、振動により固定側アタッチメント及び可動側アタッチメントの引き戸の端縁及び窓枠への当接位置がずれたり、当接状態が解除されることを防止することができる。
【００１０】
また、引き戸の端縁が入り込む溝を、断面Ｖ字状に形成することにより、サッシ窓用補助錠と引き戸の面接触力を高めることができ、これによって、サッシ窓用補助錠のサッシ窓に対する保持力を一層高めることができ、振動により固定側アタッチメント及び可動側アタッチメントの引き戸の端縁及び窓枠への当接位置がずれたり、当接状態が解除されることをより確実に防止することができる。
【図面の簡単な説明】
【００１１】
【図１】本発明のサッシ窓用補助錠の一実施例を示す説明図である。
【図２】同縦断面図である。
【図３】同分解図である。
【図４】本体を示し、（Ａ）は正面図、（Ｂ）は裏面図、（Ｃ）は側面図、（Ｄ）は平面図、（Ｅ）は底面図である。
【図５】つまみを示し、（Ａ）は正面図、（Ｂ）は側面図、（Ｃ）は裏面図、（Ｄ）は平面図である。
【図６】回転体を示し、（Ａ）は背面図、（Ｂ）は側面図である。
【図７】裏板を示し、（Ａ）は正面図、（Ｂ）は側面図、（Ｃ）は平面図である。
【図８】スライダを示し、（Ａ）は正面図、（Ｂ）は側面図、（Ｃ）は平面図である。
【図９】操作片を示し、（Ａ）は正面図、（Ｂ）は側面図である。
【図１０】カムを示し、（Ａ）は正面図、（Ｂ）は側面図、（Ｃ）は平面図である。
【図１１】従来のサッシ窓用補助錠を示す説明図である。
【発明を実施するための形態】
【００１２】
以下、本発明のサッシ窓用補助錠の実施の形態を、図面に基づいて説明する。
【実施例１】
【００１３】
図１〜図１０に、本発明のサッシ窓用補助錠の一実施例を示す。
このサッシ窓用補助錠は、可動側アタッチメント２を固定側アタッチメント１１に対して接離方向に移動可能とし、固定側アタッチメント１１を引き戸Ｄの端縁に、可動側アタッチメント２を窓枠Ｆに当接させることにより、引き戸Ｄを固定するようにしたもので、より具体的には、窓枠Ｆの引き戸挿通移動用溝Ｆ１内に設置できる大きさのＬ字形をした本体１と、この本体１に移動可能に取り付けて本体１側に突設する固定側アタッチメント１１と協動して引き戸挿通移動用溝Ｆ１内で突っ張り合って固定する可動側アタッチメント２を突設したスライダ３と、回転可能にして本体１内に収納してスライダ３を移動させ、かつ一方向の回転を許容するようにしたラチェット歯４１を外周に刻設した回転体４と、この回転体４を回転操作するつまみ５と、回転体４を一方向にのみ回転を許容するようにラチェット歯４１にばねＳの付勢力にて噛合するカム６と、裏板７とからその主要部を構成するようにしている。
【００１４】
Ｌ字形をした本体１は、図４に示すように、本体片１０の一端側で、その横方向に突出した固定側アタッチメント１１を一体に形成するとともに、本体片１０の外周を取り囲むようにして側片１２を配設し、本体片１０の内部には本体片１０の内面より少し突出するようにしてスライダの移動を円滑に行うためのガイド片１４を突設し、かつガイド片１４の下方位置に軸孔１３を穿設し、さらに本体片の一部、例えば、図４においては下部位置にカム６を常にラチェット歯４１側に押圧されるようにばねＳを支持するためのばね受け片１５を形成して一体に構成する。
【００１５】
この場合において、固定側アタッチメント１１に、引き戸Ｄの端縁が入り込む溝１１ａを形成するようにしている。
この溝１１ａは、好ましくは、固定側アタッチメント１１の溝１１ａの内面が、本体片１０の面に対して傾斜する断面Ｖ字状に形成する。
【００１６】
なお、図中１６は、本体１内に収納したスライダ３、回転体４、カム６等の機構を保護するための裏板７をビス止め固定する円柱状の裏板止片で、これを本体片１０の内面に複数本を突設する。
また、図中１７は、引き違いの引き戸Ｄ´が当たったときに引き戸Ｄ´が傷付くのを防止するための緩衝部材である。
【００１７】
可動側アタッチメント２は、固定側アタッチメント１１と共に、窓枠Ｆの引き戸挿通移動用溝Ｆ１内に互いに対向するようにして挿入され、突っ張り合うような形状、例えば、平板状とし、スライダ３の背面に突設するようにして一体に形成し、かつこのスライダ３を本体１に組み込んだとき、固定側アタッチメント１１と互いに対向し、接離方向に移動するようにする。
【００１８】
スライダ３は、図８に示すように、本体片１０の外周を取り囲むようにして形成した側片１２の内側に挿入し、かつ移動可能とした平板状とし、このスライダ本体片３０には、背面に突設した可動側アタッチメント２と反対側の面に、回転体４の回転によりスライダ３を移動するため、回転体４側の螺旋状突条４２と噛合するようにした歯３１を突設して形成する。
【００１９】
この歯３１は、図８（Ｂ）及び（Ｃ）に示すように、螺旋状突条４２のカーブに一致して曲線形をした突出係片状のものの複数を、螺旋状突条の半径方向に沿うように１列状態にして突設配列して形成し、かつ複数歯片間の間隔を、螺旋状突条４２にて噛合するようにして定め、これにより回転体４を回転させることにより、その回転数に応じてスライダ３が円滑に移動するように構成する。
【００２０】
回転体４は、図６に示すように、円盤状の本体片４０の外周面に一方向に回転を許容するようにしたラチェット歯４１を形成するとともに、一方の面に螺旋状突条４２を突設するようにして形成し、また本体片４０の中央部にはつまみ５の軸５３を嵌合係止するための角形をした軸孔４３を穿設し、かつ前記本体１の側片１２にて囲まれた部分内に回転可能に収納できるようにして構成する。
【００２１】
つまみ５は、図５に示すように、円盤状のつまみ本体５０の一側面に、手指をもって回転操作を容易に行えるようにした突条形のつまみ片５１を突設するとともに、このつまみ片５１と反対側面には本体１の軸孔１３内に嵌合され、円滑に回転するようにした短円柱状のボス部５２を一体に形成し、このボス部５２の略中央部に角柱状の軸５３を突設して一体に形成する。
【００２２】
カム６は、図１０に示すように、本体１のばね受け片１５内を挿通して本体外部にその操作部６３が突出するようにしたもので、カム本体６０の一端面に回転体４のラチェット歯４１と係止する鋸歯状の係止歯６１を形成し、この係止歯６１に隣接して本体１のばね受け片１５内に嵌挿するばねＳの他端側を当接支持するばね受け片６２を突設し、カム本体６０の他端側には本体１より突出してカム６をラチェット歯４１との係止解除操作するようにした操作部６３を形成して構成する。
なお、カム６の操作部６３には、図９に示す操作片６４を取り付けることもできる。
【００２３】
裏板７は、図７に示すように、本体１の裏側で側片内に嵌合して装着されるようにした平板状で、この裏板本体７０の中央部にはスライダ３を案内するためのガイド溝７１を形成するとともに、この裏板７を本体１の裏板止片１６に、ビス止めにて本体側に固定できるように取付孔７３を形成して構成する。
【００２４】
次に、このサッシ窓用補助錠の組立方法と作用について説明する。
まず、本体１の側片内（本体の裏側）にカム６と回転体４とを嵌合する。この場合、本体１のばね受け片１５内にばねＳを挿入し、このばねＳの付勢力がカム６に作用してカム６の係止歯６１がラチェット歯４１側に押圧し、操作部６３は本体外へ突出するようにするとともに、このカム６と対向するようにして回転体４を配設する。この回転体４には本体の表側につまみ５を配設し、軸孔１３内につまみのボス部５２及び軸５３を挿入して、軸５３を回転体４の軸孔４３内に挿入して、軸５３を外側に押し広げるようにしてつまみ５と回転体４とを一体とし、これによりつまみ５の回転操作にて回転体４も回転するように構成する。
【００２５】
次に、回転体４の表面側にスライダ３を重ねるように本体１内に納めて、その歯３１が回転体４の螺旋状突条４２と噛合するようにするとともに、可動側のアタッチメント２を本体１の裏側に突出するように配設する。
また、ラチェット歯４１をカム６の係止歯６１と係止する。この場合、カム６はばねＳの付勢力に抗するように押しつけて行う。そして、このスライダ３に重ねるようにして裏板７を本体１の裏側に配設する。このとき、裏板７のガイド溝７１にスライダ３が摺動可能にして嵌合される。
裏板７は、ビスをもって本体１の裏板止片１６に固定してサッシ窓用補助錠を構成する。
【００２６】
また、サッシ窓用補助錠を使用する場合は、固定側アタッチメント１１及び可動側アタッチメント２を、窓枠Ｆの引き戸挿通移動用溝Ｆ１内に挿入した状態で、つまみ５を、施錠する方向に正回転させると、つまみ５に固定され、共に回転する回転体４に噛合したスライダ３が回転体４の回転に応じて移動し、可動側アタッチメント２が固定側アタッチメント１１と離間する方向に移動して固定側アタッチメント１１と可動側アタッチメント２とがサッシ挿通移動用溝内にて互いに突っ張り合って引き戸挿通移動用溝Ｆ１内に固定される。
このサッシ窓用補助錠を装着する場合、つまみ５の回転は、回転体４にばねＳの付勢力によるカム６が係止していても、カム６と外れる方向の、ラチェット歯４１の回転許容方向であるため、つまみ５の回転により回転体４も円滑に回転し、片手でも回転操作が簡単に行え、これにより主としてクレセント錠による引き戸Ｄの施錠を、このサッシ窓用補助錠にて補助的に行うことができる。
【００２７】
そして、このサッシ窓用補助錠においては、引き戸Ｄの端縁に当接する固定側アタッチメント１１に、引き戸Ｄの端縁が入り込む溝１１ａを形成するようにしているので、施錠時に、引き戸Ｄの端縁が溝１１ａに入り込むことにより、サッシ窓用補助錠のサッシ窓に対する保持力を高めることができ、振動により固定側アタッチメント１１及び可動側アタッチメント２の引き戸Ｄの端縁及び窓枠Ｆへの当接位置がずれたり、当接状態が解除されることを防止することができる。
【００２８】
特に、このサッシ窓用補助錠においては、引き戸Ｄの端縁が入り込む溝１１ａを、断面Ｖ字状に形成するようにしているので、施錠時に、サッシ窓用補助錠の本体１の本体片１０（及び裏板７）と引き戸Ｄの表面の面接触力を高めることができ、これによって、サッシ窓用補助錠のサッシ窓に対する保持力を一層高めることができ、振動により固定側アタッチメント１１及び可動側アタッチメント２の引き戸Ｄの端縁及び窓枠Ｆへの当接位置がずれたり、当接状態が解除されることをより確実に防止することができる。
この場合、サッシ窓用補助錠の本体１の本体片１０（及び裏板７）の表面にゴムシート等の弾性シート部材（図示省略）を配設することにより、面接触力を一層高めることができる。
【００２９】
なお、装着したサッシ窓用補助錠を取り外す場合は、ラチェット歯４１に係止したカム６は解錠方向の逆回転方向には回転しないようになっているため、このカム６をラチェット歯４１の係止から外さなければ、つまみ５及び該つまみ５に固定した回転体４は回転しないようにされている。
このため、片手でカム６の操作部６３に取り付けた操作片５４をばねＳの付勢力に抗して引っ張り、ラチェット歯４１からカム６の係止歯６１による係止を解除すると、ラチェット歯４１は施錠時と反対方向に回転可能となる。
この状態で、他方の片手でつまみ５を施錠時と反対方向に回転させると、該ラチェット歯４１と一体となっている螺旋状突条４２が回転して、螺旋状突条４２と噛合したスライダ３を移動させ、このスライダ３に一体となった可動側アタッチメント２を共に移動させて解錠することができる。
【００３０】
以上、本発明のサッシ窓用補助錠について、その実施例に基づいて説明したが、本発明は上記実施例に記載した構成に限定されるものではなく、例えば、引用文献１〜２に記載したように、可動側アタッチメントを引き戸の端縁に、固定側アタッチメントを窓枠に当接するようにするとともに、可動側アタッチメントに引き戸の端縁が入り込む溝を形成するようにする等、その趣旨を逸脱しない範囲において適宜その構成を変更することができるものである。
【産業上の利用可能性】
【００３１】
本発明のサッシ窓用補助錠は、サッシ窓用補助錠のサッシ窓に対する保持力を高め、振動により固定側アタッチメント及び可動側アタッチメントの引き戸の端縁及び窓枠への当接位置がずれたり、当接状態が解除されることを防止することができるという特性を有していることから、クレセント錠による施錠を行うことができない場合、あるいはより確実に施錠を行うためにしようされるサッシ窓用補助錠の用途に好適に用いることができる。
【符号の説明】
【００３２】
１   本体
１１ 固定側アタッチメント
１１ａ  溝
２   可動側アタッチメント
３   スライダ
４   回転体
４１ ラチェット歯
４２ 螺旋状突条
５   つまみ
６   カム
７   裏板
【図１】
2012087540.tif 000003
【図２】
2012087540.tif 000004
【図３】
2012087540.tif 000005
【図４】
2012087540.tif 000006
【図５】
2012087540.tif 000007
【図６】
2012087540.tif 000008
【図７】
2012087540.tif 000009
【図８】
2012087540.tif 000010
【図９】
2012087540.tif 000011
【図１０】
2012087540.tif 000012
【図１１】
2012087540.tif 000013